(57)【特許請求の範囲】
【請求項１】
各極毎に設けられた合成樹脂材製の遮断ユニットケースの中に、固定接触子と共に、上記固定接触子に対向して配置された可動接触子、この可動接触子を回動自在に支承する可動子軸、上記可動接触子に係合し、かつ、開閉機構に連結されて上記可動接触子を開閉操作するためのクロスバー、及び、一端に過電流引外しユニットの接続用導体と螺着接続するための接続面を有し、他端が上記可動接触子と摺動接触により電気的に接続される可動子ホルダなどからなる可動接触子機構を収納し、かつ、上記可動接触子機構の回動子軸を上記遮断ユニットケースにより保持して上記可動接触子が固定接触子に対して開閉できるように構成された遮断ユニットを有する回路遮断器において、上記可動子ホルダの接続面を過電流引外しユニットの接続用導体に締付けねじで螺着接続する際の締付け方向に対し、その締付け方向と同じ方向のレール溝を上記遮断ユニットケースに設け、このレール溝に上記可動子ホルダを移動自在に嵌装することにより、上記螺着接続の際に上記可動子ホルダが移動して、その接続面が過電流引外しユニットの接続用導体に当接するようにしたことを特徴とする回路遮断器。
【請求項２】
可動子ホルダの他端は、可動接触子と摺動接触により電気的に接続されると共に、可動子軸が貫通する貫通孔を設け、その孔径を、可動子ホルダの接続面に過電流引外しユニットの接続用導体を締付けねじで螺着接続する際の可動子ホルダの移動を抑制しない大きさにしたことを特徴とする請求項１記載の回路遮断器。
【発明の詳細な説明】
【０００１】
【発明の属する技術分野】
この発明は、回路遮断器の内部において、例えば、可動接触子機構と過電流引外しユニットの接続用導体との電気的接続に際し、その接続部分の改良に関するものである。
【０００２】
【従来の技術】
図７は、例えば特公昭６２ー５４２２６号公報に示された従来の回路遮断器の一部分を切り欠いて内部を示す正面断面図である。図８は、図７の回路遮断器に収納される過電流引外しユニットを示す正面断面図である。図９は可動接触子部を示す正面図、図１０は可動接触子部を示す下面図である。図１１は、図７の回路遮断器の要部を示す側面図である。
図７において、６０は遮断器ユニットであり、絶縁ボックス６１内に、電源側固定端子６２と、この電源側固定端子６２の一端に固着された固定接点６３と、この固定接点６３に対向して接離する可動接点６４と、一端にこの可動接点６４が固着された可動接触子６５と、後述する過電流引き外しユニット７０の導体７２が接続される接続端子６６と、上記可動接触子６５がスム−スに動くことができるように接続端子６６と接続する可撓導線６７等の導電性部材が内蔵されている。
【０００３】
７０は選択された定格に対応して回路遮断器本体に装着される過電流引外しユニットであり、図８に示すように、引外しユニットボックス７１内に固定された導体７２に対し、接続端子６６の接触表面６６ａ（二点鎖線で示す）を電気的に接触させるたの端子接続ねじ７３が螺着されている。また、図９、図１０に示すように、接続端子６６の接触表面６６ａとは反対側表面６６ｂにはナット６８が固着されている。
【０００４】
次に、従来の回路遮断器の内部接続導体の接触信頼性を向上させる構成について説明する。
図１０、図１１に示すように、可動接触子６５の一端に接続された可撓導線６７が各極の接続端子６６と協働する１つの接触表面６６ａを含み、その反対側表面６６ｂにはナット６８が固着されている。さらに、各遮断器ユニット６０の接続端子６６を装着する絶縁ボックス６１に形成された横向きスロット６１ａ内には、接続端子６６が垂直方向の遊びｄを有するように配設されている。
従って、過電流引外しユニット７０を絶縁ボックス６１上の装着位置において、端子接続ねじ７３によりナット６８に締付けるとき、過電流引外しユニット７０を絶縁ボックス６１の所定の位置に位置決めするに際し、関係部品の寸法精度誤差、接続端子６６表面のカエリ等のあらゆる欠陥に無関係に、過電流引外しユニット７０の導体７２と接続端子６６との良好な電気的接触を確保するように構成されている。
【０００５】
【発明が解決しようとする課題】
上記のような従来の回路遮断器の内部接続導体の構造では、可動接触子６５が開閉動作する動きの途上においても、常に、可動接触子６５と過電流引外しユニット７０の導体７２との良好な電気的接触を保つため可撓導線６７を用いていた。しかし、回路遮断器の開閉動作に伴う可撓導線６７の切断による電気的開閉性能の低下や、可撓導線６７が柔軟で一定の形状を保ことができないので、ベース６９など各種部品との位置関係が不安定になり、回路遮断器本体への組み込みの自動化を妨げるという問題点が生じ易い。従って、可撓性部材を排除して、剛体を用いた摺動接触構造（図示せず）を採用することで、このの問題点の解決手段としていた。
【０００６】
しかし、剛体を用いた摺動接触構造では、構成部品のバラツキ等により、可動接触子などからなる遮断ユニットと過電流引外しユニットの接続用導体との間に寸法誤差が生じることがあり、遮断ユニットと過電流引外しユニットとの電気的接触が安定しないという問題点があった。
【０００７】
この発明は、かかる問題点を解決するためになされたものであり、可撓導線を用いず、板材より成る摺動接触部材を用いて、可動接触子などからなる遮断ユニットと過電流引外しユニットとの安定した電気的接触を得ることができる回路遮断器を提供することを目的としている。
【０００８】
【課題を解決するための手段】
この発明による回路遮断器においては、各極毎に設けられた合成樹脂材製の遮断ユニットケースの中に、固定接触子と共に、固定接触子に対向して配置された可動接触子、この可動接触子を回動自在に支承する可動子軸、可動接触子に係合し、かつ、開閉機構に連結されて可動接触子を開閉操作するためのクロスバー、及び、一端に過電流引外しユニットの接続用導体と螺着接続するための接続面を有し、他端が上記可動接触子と摺動接触により電気的に接続される可動子ホルダなどからなる可動接触子機構を収納し、かつ、可動接触子機構の回動子軸を遮断ユニットケースにより保持して可動接触子が固定接触子に対して開閉できるように構成された遮断ユニットを有する回路遮断器において、上記可動子ホルダの接続面を過電流引外しユニットの接続用導体に締付けねじで螺着接続する際の締付け方向に対し、その締付け方向と同じ方向のレール溝を遮断ユニットケースに設け、このレール溝に可動子ホルダを移動自在に嵌装することにより、螺着接続の際に可動子ホルダが移動して、その接続面が過電流引外しユニットの接続用導体に当接するようにしたものである。
【０００９】
また、可動子ホルダの他端は、可動接触子と摺動接触により電気的に接続されると共に、可動子軸が貫通する孔を設け、その孔径を、可動子ホルダの接続面に過電流引外しユニットの接続用導体を締付けねじで螺着接続する際の可動子ホルダの移動を抑制しない大きさにしたものである。
【００１０】
【発明の実施の形態】
実施の形態１．
図１は、この発明の実施の形態１を示す回路遮断器の正面断面図である。図２は、図１の回路遮断器の接触子機構を示す斜視図である。図３は、図２の接触子機構の平面図である。図４は、図２の接触子機構の正面図である。図５は、図２の接触子機構が組み込まれる遮断ユニットケースを示す正面図である。図６は、図１の回路遮断器の過電流引外しユニットを示す斜視図である。
【００１１】
図において、１０は筐体であり、ベース１１とカバー１２と補助カバー１３とからなり、いずれも合成樹脂材料で形成されている。１４は同様の材料で形成されたハンドルである。３５はクロスバーであり、合成樹脂材料からなる各極のロータ１５とその連結ピン１６からなる。即ち、各極のロータ１５が連結ピン１６により一体的に連結されている。この連結ピン１６は、後述の開閉機構３０に連結されている。１７は固定接触子であり、固定接点１７ａを有している。１８は可動接触子であり、固定接点１７ａに対向して接離する可動接点１８ａを有し、可動子軸１９により回動自在に支承されている。この可動接触子１８には上記クロスバー３５が係合し、かつ、クロスバー３５に連結された開閉機構３０により開閉操作されるように構成されている。
【００１２】
２１はひねりばねによる可動子ばねであり、一端がロータ１５の外周部に係合し、他端を可動接触子１８に係合することにより可動接触子１８が矢印Ｃ方向に付勢されている。この付勢により可動接触子１８が固定接触子１７に対して所定の接触圧力で接触するようになされている。この構成により、可動接触子１８はロータ１５に関係なく可動子ばね２１に抗して矢印Ｄ方向に回動できるようになされている。また、この可動接触子１８はクロスバー３５の回動動作に連動するものである。即ち、後述の開閉機構３０の動作によりクロスバー３５のロータ１５が回動すれば、その回動に可動接触子１８が従動して固定接触子１７に接離するようになされている。
【００１３】
２０は導電材料で形成された可動子ホルダであり、一端に接続面２０ｂを設け、他端に一対の接続導体部２０ａ（図３に示す）が設けてある。この接続導体部２０ａは、可動接触子１８の両側の平面１８ｂ，１８ｃを両側から挟み、ホルダばね３４によって押圧されて電気的接触を保持するように形成されている。また、接続導体部２０ａの先端部分には可動子軸１９が貫通する貫通孔２０ｄ（図４に示す）を設けてある。この構成において、クロスバー３５のロータ１５、可動接触子１８、可動子軸１９、可動子ホルダ２０、可動子ばね２１、ホルダばね３４などにより、図２ないし図４に示す可動接触子機構５０が構成されている。
これらの各部品、即ち、可動接触子機構５０、１７は固定接触子、及び後述の消弧装置２４は遮断ユニットケース２３ａに収納されているが、遮断ユニットケース２３ａの細部については後述する。
【００１４】
３１は周知の過電流引き外し装置であり、２２はその一部分を構成するトリップバーである。トリップバー２２は過電流引き外し装置３１が過電流を検出したとき、軸（図示せず）を支点として反時計方向に回動し、この回動により開閉機構３０が作動する。この作動によりクロスバー３５を回動させて可動接触子１８を固定接触子１７から開離させ自動遮断（トリップ）するように構成されている。なお、ハンドル１４により開閉機構３０を作動させて、可動接触子１８と固定接触子１７を開離・閉合できることは周知の通りである。
【００１５】
２３は固定接触子１７、可動接触子機構５０及び消弧装置２４などにより構成された遮断ユニットである。即ち、図１に示すように、２３ａは合成樹脂材料で形成された遮断ユニットケースであり、固定接触子１７と、可動接触子機構５０と、消弧装置２４が収納されている。この収納に際し、可動接触子機構５０を構成する回動子軸１９の両端を上記遮断ユニットケース２３ａにより保持して上記可動接触子１８が固定接触子１７に対して開閉できるように構成されている。
【００１６】
図６において、４０は回路遮断器の定格電流値に対応して選択使用できるように構成された過電流引外しユニットであり、可動子ホルダ２０（図２に示す）の接続面２０ｂと接続するための接続用導体４１がリレーベース４２を介して設置されている。この接続用導体４１には可動子ホルダ２０の接続面２０ｂとの接続を行うための、締付けねじ４３が設けられている。
【００１７】
また、可動子軸１９は、可動接触子１８の回転軸であるとともに、ロータ１５の回転軸としても機能するように、それらの部品を貫通し、遮断ユニットケース２３ａに設けられた軸受け穴２３ｂ（図５に示す）により保持されている。
【００１８】
可動子ホルダ２０の他端に形成された接続導体部２０ａは、図３に示すように、可動接触子１８の両平面１８ｂ，１８ｃに対し、ホルダばね３４によって押圧されて、可動接触子１８と可動子ホルダ２０とが摺動接触により電気的に接続される。また、接続導体部２０ａの先端部分には可動子軸１９が貫通する貫通孔２０ｄを設けてある。この貫通孔２０ｄは、可動子軸１９に対する軸受け孔として使用するものではなく、自動組立てなどの際に、可動接触子１８と可動子ホルダ２０を一体化しておくものである。従って、貫通孔２０ｄの孔径は、図４に示すように、可動子軸１９に対してギャップＧ１を有する孔径にしてある。このギャップＧ１は、後述のように、可動子ホルダ２０の接続面２０ｂに過電流引外しユニット４０の接続用導体４１を締付けねじ４３で螺着接続する際の、可動子ホルダ２０の移動を抑制しない大きさになされている。なお、上記の実施の形態では、この貫通孔２０ｄは丸孔に形成したが、可動子軸１９との間に所定のギャップＧ１を有する長孔でも良い。また、可動子ホルダ２０の接続面２０ｂを短くして、貫通孔２０ｄが無いものにしてもよい。
【００１９】
可動子ホルダ２０は、図１に示すように、遮断ユニット２３の可動子ホルダ２０の接続面２０ｂと過電流引外しユニット４０の接続導体４１とを締付けねじ４３により接続時に、矢印Ｈ方向、即ち、締付けねじ４３の推力発生方向に移動可能なように構成されている。つまり、貫通孔２０ｄと可動子軸１９との間に所定のギャップＧ１を設けてある。また、可動子ホルダ２０の上端部と遮断ユニットケース２３ａの側壁２３ｅとの間に、所定のギャップＧ２相当の自由度を持たせるように構成してある。また、遮断ユニットケース２３ａには、図５に示すようにレール溝２３ｃが設けてあり、このレール溝２３ｃに可動子ホルダ２０の垂直片２０ｅが移動自在に嵌装されている。従って、可動子ホルダ２０はレール溝２３ｃによって位置決めされると共に、矢印Ｈ方向に移動可能である。なお、遮断ユニットケース２３ａには、図５に示すように、可動子ホルダ２０の接続面２０ｂに過電流引外しユニット４０の接続用導体４１を締付けねじ４３で螺着接続する際に用いるナット４５が保持される保持孔２３ｄを有している。
【００２０】
また、ハンドル１４による操作は、周知のトグルリンク機構（開閉機構３０）と各極のロータ１５を貫通する連結ピン１６を連結して、ロータ１５（クロスバー３５）を介して可動接触子１８を回動させ、固定接触子１７との電路開閉を行う。
【００２１】
このように構成された回路遮断器では、遮断ユニット２３の可動子ホルダ２０と過電流引外しユニット４０の接続導体４１とを締付けねじ４３により接続時に、締付けねじ４３の締付けにより、可動子ホルダ２０が、遮断ユニットケース２３ａのレール溝２３ｃ上を締付けねじ４３の推力発生方向に移動できるように構成したので、各極の可動子ホルダ２０や、過電流引外しユニット４０の接続導体４１の組付け誤差を吸収し、接続導体４１と可動子ホルダ２０との安定した電気的接触を得ることができる。
【００２２】
【発明の効果】
この発明の回路遮断器によれば、遮断ユニットの可動子ホルダと過電流引外しユニットの接続導体とを締付けねじにより接続時に、締付けねじの推力により可動子ホルダが遮断ユニットケースのレール溝上を移動できるように構成したので、遮断ユニットと引き外しユニットとの安定した電気的接触を得ることができる。
【図面の簡単な説明】
【図１】  この発明の回路遮断器を示す正面断面図である。
【図２】  図１の回路遮断器の可動接触子機構を示す斜視図である。
【図３】  図２の可動接触子機構の平面図である。
【図４】  図２の可動接触子機構の正面図である。
【図５】  遮断ユニットケースを示す正面図である。
【図６】  回路遮断器の過電流引き外しユニットを示す斜視図である。
【図７】  従来の回路遮断器の内部を示す正面断面図である。
【図８】  図７の回路遮断器の過電流引外しユニットを示す正面断面図である。
【図９】  従来の回路遮断器の可動接触子部を示す正面図である。
【図１０】  従来の回路遮断器の可動接触子部を示す下面図である。
【図１１】  図７の回路遮断器の要部を示す側面図である。
【符号の説明】
１４  ハンドル、１７  固定接触子、１８  可動接触子、１９  可動子軸、
２０  可動子ホルダ、２０ａ  接続導体部、２０ｂ  接続面、
２０ｄ  貫通孔、２３  遮断ユニット、２３ａ  遮断ユニットケース、
２３ｃ  レール溝、２３ｅ側壁、２４  消弧装置、３０  開閉機構、
３５  クロスバー、４０  過電流引外しユニット、４１  接続導体、
４３  締付けねじ、５０  可動接触子機構、Ｇ１，Ｇ２  所定のギャップ。
【図１】
0004399102.tif 000002
【図２】
0004399102.tif 000003
【図３】
0004399102.tif 000004
【図４】
0004399102.tif 000005
【図５】
0004399102.tif 000006
【図６】
0004399102.tif 000007
【図７】
0004399102.tif 000008
【図８】
0004399102.tif 000009
【図９】
0004399102.tif 000010
【図１０】
0004399102.tif 000011
【図１１】
0004399102.tif 000012